【手続補正書】
【提出日】平成27年12月25日(2015.12.25)
【手続補正１】
【補正対象書類名】特許請求の範囲
【補正対象項目名】全文
【補正方法】変更
【補正の内容】
【特許請求の範囲】
【請求項１】
第１の制御部と第２の制御部とを備える第１の遊技用装置と、前記第２の制御部と通信可能な集積回路を搭載した第２の遊技用装置と、前記第１の制御部と通信可能な管理装置と、を備える遊技用システムであって、
前記第２の制御部は、前記集積回路が記憶する前記集積回路の識別情報を前記集積回路から取得する取得手段と、前記取得手段が取得した前記識別情報を前記第１の制御部に供給する第１の供給手段とを備え、
前記第１の制御部は、前記第１の供給手段から供給された前記識別情報を前記管理装置に供給する第２の供給手段を備え、
前記管理装置は、予め記憶している識別情報と前記第２の供給手段から供給された前記識別情報とを照合する照合手段と、前記照合手段による照合で両識別情報が同じ集積回路を識別していた場合に、両識別情報が同じ集積回路を識別している旨を示す照合結果を前記第１の制御部に供給する第３の供給手段と、を備え、
前記第１の制御部は、前記第３の供給手段から供給される前記照合結果を前記識別情報とともに記憶する記憶手段と、前記照合結果が前記第３の供給手段から供給された場合に、第１の処理を行う処理手段と、をさらに備え、
前記処理手段は、
前記第２の供給手段が前記第１の供給手段から供給された前記識別情報を前記管理装置に供給出来ない場合であって、前記記憶手段が前記照合結果を前記識別情報とともに記憶している場合には、前記第１の供給手段から供給された前記識別情報と前記記憶手段が記憶している前記識別情報とを照合し、両識別情報が同じ集積回路を識別する場合に、前記第１の処理を行い、
前記第２の供給手段が前記第１の供給手段から供給された前記識別情報を前記管理装置に供給出来ない場合であって、前記記憶手段が前記照合結果を記憶していない場合には、所定の条件のもとで、前記第１の処理を行い、
前記照合結果が前記記憶手段に記憶されていない場合に前記第１の処理を行ったときに当該第１の処理を行ってからの状態を監視し、監視している状態が所定の基準を満たす場合に第２の処理を行う、
ことを特徴とする遊技用システム。
【請求項２】
第１の制御部と第２の制御部とを備える遊技用装置であって、
前記第２の制御部は、他の遊技用装置に搭載された集積回路と通信可能であり、
前記第１の制御部は、前記集積回路の識別情報を記憶した管理装置と通信可能であり、
前記第２の制御部は、前記集積回路が記憶する前記集積回路の識別情報を前記集積回路から取得する取得手段と、前記取得手段が取得した前記識別情報を前記第１の制御部に供給する第１の供給手段とを備え、
前記第１の制御部は、前記第１の供給手段から供給された前記識別情報を前記管理装置に供給する第２の供給手段と、前記管理装置から、前記管理装置が記憶している識別情報と前記第２の供給手段から供給された前記識別情報とが同じ集積回路を識別している旨を示す照合結果を取得する取得手段と、前記取得手段が取得した前記照合結果を前記識別情報とともに記憶する記憶手段と、前記照合結果を前記取得手段により取得した場合に、第１の処理を行う処理手段と、をさらに備え、
前記処理手段は、
前記第２の供給手段が前記第１の供給手段から供給された前記識別情報を前記管理装置に供給出来ない場合であって、前記記憶手段が前記照合結果を前記識別情報とともに記憶している場合には、前記第１の供給手段から供給された前記識別情報と前記記憶手段が記憶している前記識別情報とを照合し、両識別情報が同じ集積回路を識別する場合に、前記第１の処理を行い、
前記第２の供給手段が前記第１の供給手段から供給された前記識別情報を前記管理装置に供給出来ない場合であって、前記記憶手段が前記照合結果を記憶していない場合には、所定の条件のもとで、前記第１の処理を行い、
前記照合結果が前記記憶手段に記憶されていない場合に前記第１の処理を行ったときに当該第１の処理を行ってからの状態を監視し、監視している状態が所定の基準を満たす場合に第２の処理を行う、
ことを特徴とする遊技用装置。
【手続補正２】
【補正対象書類名】明細書
【補正対象項目名】０００８
【補正方法】変更
【補正の内容】
【０００８】
（１）上記目的を達成するため、本発明に係る遊技用システムは、
第１の制御部（例えば、主制御部２１）と第２の制御部（例えば、通信制御ＩＣ２３）とを備える第１の遊技用装置（例えば、カードユニット２０）と、前記第２の制御部と通信可能な集積回路（例えば、払出制御チップ１１）を搭載した第２の遊技用装置（例えば、パチンコ機１０）と、前記第１の制御部と通信可能な管理装置（例えば、鍵管理センターサーバ３１０）と、を備える遊技用システムであって、
前記第２の制御部は、前記集積回路が記憶する前記集積回路の識別情報（例えば、チップＩＤ）を前記集積回路から取得する取得手段（例えば、ステップＥ２１において送信された登録情報を受信する処理参照）と、前記取得手段が取得した前記識別情報を前記第１の制御部に供給する第１の供給手段（例えば、ステップＥ２２において登録情報を送信する処理参照）とを備え、
前記第１の制御部は、前記第１の供給手段から供給された前記識別情報を前記管理装置に供給する第２の供給手段（例えば、ステップＥ２３及びＥ２４において登録情報を照合要求とともに送信する処理参照）を備え、
前記管理装置は、予め記憶している識別情報と前記第２の供給手段から供給された前記識別情報とを照合する照合手段（例えば、ステップＥ２４．５において登録情報の照合を行う処理参照）と、前記照合手段による照合で両識別情報が同じ集積回路を識別していた場合に、両識別情報が同じ集積回路を識別している旨を示す照合結果（例えば、照合ＯＫの照合結果）を前記第１の制御部に供給する第３の供給手段（例えば、ステップＥ２５において照合ＯＫの照合結果を送信する処理参照）と、を備え、
前記第１の制御部は、前記第３の供給手段から供給される前記照合結果を前記識別情報とともに記憶する記憶手段と（例えば、ステップＥ２７において送信された照合結果と登録情報を記憶する処理参照）、前記照合結果が前記第３の供給手段から供給された場合に、第１の処理（例えば、ステップＥ２７においてセッション鍵を要求する処理参照）を行う処理手段と、をさらに備え、
前記処理手段は、
前記第２の供給手段が前記第１の供給手段から供給された前記識別情報を前記管理装置に供給出来ない場合（例えば、ステップＨ１において接続要求ＮＧである場合）であって、前記記憶手段が前記照合結果を前記識別情報とともに記憶している場合（例えば、ステップＨ１０における照合結果の確認参照）には、前記第１の供給手段から供給された前記識別情報と前記記憶手段が記憶している前記識別情報とを照合し（例えば、ステップＨ１１において登録情報の確認参照）、両識別情報が同じ集積回路を識別する場合に、前記第１の処理を行い、
前記第２の供給手段が前記第１の供給手段から供給された前記識別情報を前記管理装置に供給出来ない場合であって、前記記憶手段が前記照合結果を記憶していない場合には（例えば、ステップＬ６において照合結果の確認が照合結果なしの場合参照）、所定の条件のもと（例えば、ステップＬ７におけるＮＧ運用許可の場合参照）で、前記第１の処理を行い、
前記照合結果が前記記憶手段に記憶されていない場合に前記第１の処理を行ったときに当該第１の処理を行ってからの状態を監視し、監視している状態が所定の基準を満たす場合に第２の処理（例えば、以降の処理の中止）を行う。
【手続補正３】
【補正対象書類名】明細書
【補正対象項目名】０００９
【補正方法】変更
【補正の内容】
【０００９】
上記構成によれば、管理装置と第１の遊技用装置とが通信不可になった場合であっても、第１の制御部が以前の照合による照合結果（照合された両識別情報が同じ集積回路を識別している旨を示す照合結果）を記憶している場合、この照合結果とともに記憶されている識別情報を用いた照合が行われる。ここで、この識別情報は、以前の照合において、照合された両識別情報が同じ集積回路を識別していると判別された場合に記録されたものであるので、前記の照合結果とともに記録された識別情報は、正規の識別情報であることが担保されている。このため、第１の制御部が行う前記の照合は、正規の識別情報に基づく照合であるので、適切に集積回路のすり替えを検出できる。また、前記記憶手段が前記照合結果を記憶していない場合であっても、所定の条件のもとで、前記第１の処理が行われる。従来は、前記のような照合結果が得られない場合には前記第１の処理が一律に行われなかったが、上記構成によれば、必要に応じて前記第１の処理が行われる。このため、上記遊技用システムは、遊技用装置と、遊技用装置が搭載している集積回路の識別情報を記憶する管理装置と、が通信できない場合であっても、適切な処理が行うことが出来る。
【手続補正４】
【補正対象書類名】明細書
【補正対象項目名】００１０
【補正方法】変更
【補正の内容】
【００１０】
（２）上記目的を達成するため、本発明に係る遊技用装置は、例えば、（１）の遊技用システムに使用される遊技用装置であって、
第１の制御部（例えば、主制御部２１）と第２の制御部（例えば、通信制御ＩＣ２３）とを備える遊技用装置（例えば、カードユニット２０）であって、
前記第２の制御部（例えば、通信制御ＩＣ２３）は、他の遊技用装置（例えば、パチンコ機１０）に搭載された集積回路（例えば、チップＩＤ）と通信可能であり、
前記第１の制御部は、前記集積回路の識別情報を記憶した管理装置（例えば、鍵管理センターサーバ３１０）と通信可能であり、
前記第２の制御部は、前記集積回路が記憶する前記集積回路の識別情報を前記集積回路から取得する取得手段（例えば、ステップＥ２１において送信された登録情報を受信する処理参照）と、前記取得手段が取得した前記識別情報を前記第１の制御部に供給する第１の供給手段（例えば、ステップＥ２２において登録情報を送信する処理参照）とを備え、
前記第１の制御部は、前記第１の供給手段から供給された前記識別情報を前記管理装置に供給する第２の供給手段（例えば、ステップＥ２３及びＥ２４において登録情報を照合要求とともに送信する処理参照）と、前記管理装置から、前記管理装置が記憶している識別情報と前記第２の供給手段から供給された前記識別情報とが同じ集積回路を識別している旨を示す照合結果（例えば、照合ＯＫの照合結果）を取得する取得手段（例えば、ステップＥ２５において照合ＯＫの照合結果を受信する処理参照）と、前記取得手段が取得した前記照合結果を前記識別情報とともに記憶する記憶手段（例えば、ステップＥ２７において送信された照合結果と登録情報を記憶する処理参照）と、前記照合結果を前記取得手段により取得した場合に、第１の処理（例えば、ステップＥ２７においてセッション鍵を要求する処理参照）を行う処理手段と、をさらに備え、
前記処理手段は、
前記第２の供給手段が前記第１の供給手段から供給された前記識別情報を前記管理装置に供給出来ない場合（例えば、ステップＨ１において接続要求ＮＧである場合）であって、前記記憶手段が前記照合結果を前記識別情報とともに記憶している場合（例えば、吸ステップＨ１０における照合結果の確認参照）には、前記第１の供給手段から供給された前記識別情報と前記記憶手段が記憶している前記識別情報とを照合し（例えば、ステップＨ１１において登録情報の確認参照）、両識別情報が同じ集積回路を識別する場合に、前記第１の処理を行い、
前記第２の供給手段が前記第１の供給手段から供給された前記識別情報を前記管理装置に供給出来ない場合であって、前記記憶手段が前記照合結果を記憶していない場合には（例えば、ステップＬ６において照合結果の確認が照合結果なしの場合参照）、所定の条件のもと（例えば、ステップＬ７におけるＮＧ運用許可の場合参照）で、前記第１の処理を行い、
前記照合結果が前記記憶手段に記憶されていない場合に前記第１の処理を行ったときに当該第１の処理を行ってからの状態を監視し、監視している状態が所定の基準を満たす場合に第２の処理（例えば、以降の処理の中止）を行う。